(57)【要約】【課題】背もたれ部の傾斜角度変更動作を簡単に行なうようにする。【解決手段】リクライニング調節機構は、ロックピン３１，３１ａを支持するロックピン支持プレート３０と、ロック穴１１，１２，１３を有するロック穴形成プレート１０とを備える。第１の後傾角度において、ロックピン３１を第１ロック穴１１から引出して後退位置にまで動かすと、ロックピン支持プレート３０の円形穴３２を規定する壁が、ロック穴形成プレート１０の円筒軸１５に取付けられている係合爪１９を乗り越えてこの係合爪１９によってその位置が固定保持される。その状態から、背もたれ部の傾斜動作を行なうと、途中で係合爪１９が第１溝３３に重なり、ロックピン支持プレート３０が前進する。【選択図】        図８
2004359126.tif 000002
【特許請求の範囲】
【請求項１】
座部と、
前記座部に対する背もたれ角度が可変であり、第１の後傾角度および第２の後傾角度において前進位置にあるロックピンとロック穴との組合せにより位置決めされる背もたれ部と、
前記第１および第２の後傾角度において、前記ロックピンを前記ロック穴から引出して後退位置にまで動かすように操作するための引出し手段と、
前記ロックピンを前進させるように付勢する付勢手段と、
前記第１および第２の後傾角度において、前記ロックピンを前記後退位置で保持する後退位置保持手段と、
前記第１の後傾角度と前記第２の後傾角度との間の中間領域において、前記後退位置保持手段によるロックピンの保持を解放する解放手段と、
前記第１の後傾角度と前記第２の後傾角度との間の中間領域において、前記解放手段によって解放され前記付勢手段による付勢力で前進する前記ロックピンの先端を支える支え面とを備える、リクライニング調節機構を備えた育児器具の座席。
【請求項２】
前記第１の後傾角度を決めるための第１ロック穴、前記第２の後傾角度を決めるための第２ロック穴および前記支え面を有するロック穴形成プレートを備え、
前記引出し手段は、前記ロック穴形成プレートに対して相対的に回転し得るように設けられ前記ロックピンと共に前進および後退するロックピン支持プレートを含む、請求項１に記載のリクライニング調節機構を備えた育児器具の座席。
【請求項３】
前記ロック穴形成プレートは、所定の高さに穴を有する円筒軸と、前記円筒軸内に配置されて弾性部材の付勢力により前記穴から一部が突出するようにされた係合爪とを含み、
前記ロックピン支持プレートは、前記円筒軸を取り囲む円形穴と、前記円形穴を規定する壁に形成された溝とを含み、
前記第１および第２の後傾角度において、前記ロックピンを前記ロック穴から引出して後退位置にまで動かす途中で、前記ロックピン支持プレートの円形穴を規定する壁が前記係合爪を乗り越えてこの係合爪によってその位置が固定保持され、
前記第１の後傾角度と前記第２の後傾角度との間の中間領域において、前記ロックピン支持プレートが前記ロック穴形成プレートに対して相対的に回転している途中で、前記円形穴の壁に形成された溝が前記係合爪上に位置し、前記ロックピン支持プレートが前記付勢手段の付勢力により前進し、前記ロックピンの先端が前記支え面に当接する、請求項２に記載のリクライニング調節機構を備えた育児器具の座席。
【請求項４】
前記係合爪の先端部は、前記ロック穴側に向く面が先細りのテーパ面または湾曲面に形成され、その反対側の面が前記円筒軸の軸線に対してほぼ直交する平面に形成されている、請求項３に記載のリクライニング調節機構を備えた育児器具の座席。
【請求項５】
前記座部と前記背もたれ部との間に、背もたれ部の傾斜動作に対して摩擦抵抗力を与える構造を備える、請求項１〜４のいずれかに記載のリクライニング調節機構を備えた育児器具の座席。
【発明の詳細な説明】
【０００１】
【発明の属する技術分野】
この発明は、リクライニング調節機構を備えた育児器具の座席に関するものである。このような育児器具として、チャイルドシート、乳母車、ベビーラック等がある。
【０００２】
【従来の技術】
本願と同一の出願人は、特開平１０−２５０４２６号公報（特許文献１）において、リクライニング調節機構を備えた自動車用年少者安全座席（チャイルドシート）を開示した。
【０００３】
上記のチャイルドシートは、座部と、この座部に対する背もたれ角度を数段階に変えられる背もたれ部とを備えている。背もたれ部は、所定の角度位置でロックピンとロック穴（凹部）との組合せにより位置決めされる。ロックピンとロック穴の組合せは座席の左右側部にそれぞれ設けられている。ロックピンには操作レバーが動作可能に連結されており、操作レバーを回動操作することにより、ロックピンはロック穴から外れる。ロックピンは、常にばねよってロック穴と係合する方向に向かうように付勢されている。
【０００４】
【特許文献１】
特開平１０−２５０４２６号公報
【０００５】
【発明が解決しようとする課題】
上記のチャイルドシートにおいては、操作レバーは、ロックピンを付勢しているばねによって、常に回動操作前の位置に復帰するようにされている。そのため、操作レバーを回動操作してロックピンをロック穴から外したとしても、その状態で操作レバーから手を離すと、ロックピンは再度ロック穴に係合してしまう。
【０００６】
ロックピンの再ロックを避けるために、操作レバーを回動操作してロックピンをロック穴から外した後においても、操作レバーを手で回動後の位置に維持しながら、同時に背もたれ部の傾斜角度の変更を行なう必要がある。
【０００７】
操作レバーの回動後の位置を維持する動作と、背もたれ部の傾斜角度を変更する動作とを同時に行なうのは、やりにくく、背もたれ部の傾斜角度をスムーズに変えられないおそれがある。
【０００８】
この発明の目的は、背もたれ部の傾斜角度変更動作を簡単に行なうことのできる育児器具の座席を提供することである。
【０００９】
【課題を解決するための手段】
この発明に従ったリクライニング調節機構を備えた育児器具の座席は、座部と、この座部に対する背もたれ角度が可変な背もたれ部とを備える。背もたれ部は、第１の後傾角度および第２の後傾角度において、前進位置にあるロックピンとロック穴との組合せにより位置決めされる。
【００１０】
育児器具の座席は、さらに、引出し手段と、付勢手段と、後退位置保持手段と、解放手段と、支え面とを備える。引出し手段は、第１および第２の後傾角度において、ロックピンをロック穴から引出して後退位置にまで動かすように操作するためのものである。付勢手段は、ロックピンを前進させるように付勢する。
【００１１】
後退位置保持手段は、第１および第２の後傾角度において、ロックピンを後退位置で保持する。解放手段は、第１の後傾角度と第２の後傾角度との間の中間領域において、後退位置保持手段によるロックピンの保持を解放する。支え面は、第１の後傾角度と第２の後傾角度との間の中間領域において、解放手段によって解放され付勢手段による付勢力で前進するロックピンの先端を支える。
【００１２】
上記構成の本発明によれば、引出し手段を操作してロックピンを後退位置にまで動かした状態で、ロックピンの後退位置が後退位置保持手段によって保持されるので、引出し手段から手を離してもロックピンが再ロックするようなことはない。従って、背もたれ部の後傾角度変更動作をスムーズに行なうことができる。
【００１３】
また、背もたれ部の傾斜動作の途中でロックピンの後退位置での保持が解かれ、ロックピンは支え面にまで当接するように前進する。さらに背もたれ部の傾斜動作を続けると、付勢手段によって付勢されたロックピンが次の段階にあるロック穴に係合する。
【００１４】
なお、本明細書中において、用語として用いる「穴」は、貫通した穴を含むことはもちろんであるが、貫通していない凹部をも含むものとして理解されねばならない。
【００１５】
また、本発明が適用されるのは、リクライニング調節機構を備えた育児器具の座席であり、そのような育児器具として、チャイルドシート、乳母車、ベビーラック等を挙げることができる。
【００１６】
一つの実施形態では、育児器具の座席は、第１の後傾角度を決めるための第１ロック穴、第２の後傾角度を決めるための第２ロック穴および支え面を有するロック穴形成プレートを備える。また、上記の引出し手段は、ロック穴形成プレートに対して相対的に回転し得るように設けられたロックピン支持プレートを含む。このロックピン支持プレートは、ロックピンと共に前進および後退する。
【００１７】
より具体的な実施形態では、ロック穴形成プレートは、所定の高さに穴を有する円筒軸と、円筒軸内に配置されて弾性部材の付勢力により穴から一部が突出するようにされた係合爪とを含む。また、ロックピン支持プレートは、上記の円筒軸を取り囲む円形穴と、この円形穴を規定する壁に形成された溝とを含む。
【００１８】
上記の具体的な実施形態では、第１および第２の後傾角度において、ロックピンをロック穴から引出して後退位置にまで動かす途中で、ロックピン支持プレートの円形穴を規定する壁が係合爪を乗り越えてこの係合爪によってその位置が固定保持される。また、第１の後傾角度と第２の後傾角度との間の中間領域において、ロックピン支持プレートがロック穴形成プレートに対して相対的に回転している途中で、円形穴の壁に形成された溝が係合爪上に位置し、ロックピン支持プレートが付勢手段の付勢力により前進し、ロックピンの先端が支え面に当接する。
【００１９】
好ましくは、係合爪の先端部は、ロック穴側に向く面が先細りのテーパ面または湾曲面に形成され、その反対側の面が円筒軸の軸線に対してほぼ直交する平面に形成されている。
【００２０】
好ましくは、座部と背もたれ部との間に、背もたれ部の傾斜動作に対して摩擦抵抗力を与える構造を備える。
【００２１】
【発明の実施の形態】
図１は、この発明の一実施形態であるチャイルドシートを示している。図示するチャイルドシート１は、座部２と、この座部２に対する背もたれ角度が可変な背もたれ部３と、背もたれ部３の後傾角度を段階的に変更し、各角度位置で背もたれ部を固定保持するリクライニング調節機構４とを備える。
【００２２】
図示したチャイルドシート１の場合、背もたれ部３は、３段階の後傾角度位置で固定保持されるようになっている。背もたれ部３が最大後傾角度位置にあるとき、チャイルドシート１はベッド状の形態となり、車の座席上に横向きに置かれる。背もたれ部３が最小後傾角度位置にあるとき、チャイルドシート１は椅子状の形態となり、車の座席上に前向きに置かれる。背もたれ部３が中間の後傾角度位置にあるとき、チャイルドシート１は椅子状の形態であり、車の座席上に後ろ向きに置かれる。
【００２３】
図２および図３は、リクライニング調節機構４を示している。図２は、背もたれ部が所定の後傾角度で固定されている状態を示し、図３は背もたれ部の後傾角度変更動作が可能な状態を示している。なお、リクライニング調節機構４は、座席の左右の側部に設けられるが、両者は実質的に同じ構成であるので、以下の説明では、一方の側部に設けられる機構についてのみ説明する。
【００２４】
リクライニング調節機構４は、主要な構成要素として、ロック穴形成プレート１０と、固定プレート２０と、ロックピン支持プレート３０とを備える。図示した実施形態では、ロック穴形成プレート１０は背もたれ部３に固定され、固定プレート２０およびロックピン支持プレート３０は、座部２に取付けられる。固定プレート２０は座部２に固定されるが、ロックピン支持プレート３０は座部２の側面に対してほぼ直交する方向に移動可能である。
【００２５】
なお、上記の構成とは逆に、ロック穴形成プレート１０を座部２に固定し、固定プレート２０およびロックピン支持プレート３０を背もたれ部３に取付けるようにしてもよい。
【００２６】
図４は、ロック穴形成プレート１０を示しており、（ａ）を正面図とすると、（ｂ）は右側面図であり、（ｃ）は左側面方向（矢印Ｃで示す方向）からみた部分左側面図である。図示するように、ロック穴形成プレート１０は、平らな平面部１４と、この平面部に形成された第１ロック穴１１と、第２ロック穴１２と、第３ロック穴１３と、円筒軸１５とを有する。
【００２７】
第１ロック穴１１は、背もたれ部３を最大後傾角度、すなわちベッド状態で固定保持するためのものであり、２個で１組となっている。第２ロック穴１２は、背もたれ部３を中間後傾角度で固定保持するためのものであり、２個で１組となっている。第３ロック穴１３は、背もたれ部３を最小後傾角度で固定保持するためのものであり、２個で１組となっている。
【００２８】
図４（ｃ）に示すように、円筒軸１５は、所定の高さに穴１６を有する。図５は、ロック穴形成プレート１０の円筒軸１５に関連した構造を拡大して示している。円筒軸１５内には板ばね１８が配置されており、この板ばね１８の基端は例えば、円筒軸１５の上端に取付けられるフランジ部材１７によって固定される。
【００２９】
板ばね１８の先端には係合爪１９が取付けられている。この係合爪１９は、その先端部が、板ばね１８の付勢力により、円筒軸１５の穴１６から外部に突出している。図５に示すように、係合爪１９の先端部は、ロック穴側に向く面が先細りのテーパ面または湾曲面に形成され、その反対側の面が円筒軸１５の軸線に対してほぼ直交する平面に形成されている。
【００３０】
図６は固定プレート２０を示しており、（ａ）を正面図とすると、（ｂ）は右側面図である。図示するように、固定プレート２０は、２個のガイド穴２２と、円筒軸２１とを有する。２個のガイド穴２２の間隔は、前述した各組のロック穴間の間隔と同じである。具体的に言えば、２個のガイド穴２２間の間隔は、２個の第１ロック穴１１間の間隔、２個の第２ロック穴１２間の間隔および２個の第３ロック穴１３間の間隔と同じである。固定プレート２０の円筒軸２１は、図２および図３に示すように、ロック穴形成プレート１０の円筒軸１５上に嵌る。
【００３１】
図７はロックピン支持プレート３０を示しており、（ａ）を正面図とすると、（ｂ）は右側面図であり、（ｃ）は部分拡大正面図である。図示するように、ロックピン支持プレート３０は、頭部３１ａを有する２個のロックピン３１を支持している。２個のロックピン３１は、前述した固定プレート２０の２個のガイド穴２２を通過するように配置される。
【００３２】
ロックピン支持プレート３０は、ロック穴形成プレート１０の円筒軸１５を受け入れて通過させる円形穴３２を有する。図７（ｃ）に示すように、円形穴３２を規定する壁には、第１溝３３および第２溝３４が形成されている。２個の溝３３，３４間に、中間壁部３５が位置する。
【００３３】
図２、図３および図７に示すように、ロックピン支持プレート３０には、操作つまみ３６が固定して取付けられている。また、図２および図３に示すように、ロック穴形成プレート１０の円筒軸１５の上端に固定されたフランジ部材１７と、ロックピン支持プレート３０との間には、ばね３７が配置されている。ばね３７は、ロックピン支持プレート３０をロック穴形成プレート１０の平面部１４に向かって移動するように付勢している。言い換えれば、ばね３７は、ロックピン３１を平面部１４に向かって前進させるように付勢している。
【００３４】
図８、図９および図１０は、背もたれ部３が最大後傾角度位置、すなわちベッド状態で固定保持されている状態を示している。図８を正面図とすると、図１０は右側面図である。また、図９は、図８の線ＩＸ−ＩＸに沿って見た断面図である。
【００３５】
図８〜図１０に示す状態では、ロックピン支持プレート３０によって支持された２個のロックピン３１は、固定プレート２０の２個のガイド穴２２を通過して、ロック穴形成プレート１０の２個の第１ロック穴１１に係合している。この係合状態は、ばね３７（図２および図３参照）の付勢力によって安定して維持される。
【００３６】
また、図９に示すように、ロックピン支持プレート３０は、ロック穴形成プレート１０の円筒軸１５の穴１６から突出した係合爪１９よりも内側（ロック穴形成プレート１０の平面部１４の位置している方向）に位置している。
【００３７】
背もたれ部３を最大後傾角度から中間後傾角度の位置へ変更する場合には、次の操作が行なわれる。まず、操作つまみ３６を引き上げ、ロックピン３１を第１ロック穴１１から外す。ロックピン３１を最終後退位置まで動かす途中で、ロックピン支持プレート３０の円形穴３２を規定している壁が、係合爪１９を乗り越える。図１１は、ロックピン支持プレートの壁が、まさに係合爪１９を乗り越えようとしている状態を示している。前述したように、係合爪１９の先端部は、ロック穴側に向く面がテーパ面または湾曲面になっているので、ロックピン支持プレート３０の壁が係合爪１９のテーパ面または湾曲面に当たって押圧すると、板ばね１８の弾性力に逆らって円筒軸１５内に引っ込む。
【００３８】
ロックピン支持プレート３０の壁が係合爪１９を乗り越えると、図１２に示すように、係合爪１９は、板ばね１８の付勢力によって、円筒軸１５の穴１６から突出する。係合爪１９の先端部のうち、ロック穴とは反対側になる面は、円筒軸１５の軸線に対してほぼ直交する平面に形成されているので、ロックピン支持プレート３０の壁は、ばね３７に押されて係合爪１９に当接し、その位置で固定保持される。
【００３９】
図１３は、背もたれ部３が最大後傾角度位置にあってロックピン３１が後退位置で保持されている状態を示す正面図であり、図１４はその右側面図である。図示するように、ロックピン支持プレート３０の円形穴３２を規定する壁が係合爪１９に当接してその移動が止められているので、操作つまみ３６から手を離してもロックピン３１が第１ロック穴１１内に入り再ロックしてしまうということはない。
【００４０】
図１２〜図１４に示す状態から続けて背もたれ部３を起こしていく途中の状態を図１５〜図１７に示す。図１５を正面図とすると、図１７は右側面図である。図１６は、係合爪１９を通る縦断面図である。
【００４１】
図１５および図１６に示すように、背もたれ部３が最大後傾角度から中間後傾角度へ至る途中で、係合爪１９がロックピン支持プレート３０の第１溝３３の直下に位置するようになる。この位置では、ばね３７（図２および図３参照）によって付勢されているロックピン支持プレート３０は、係合爪１９による保持状態が解かれるので、ロック穴形成プレート１０の平面部１４の方に向かって前進する。すなわち、係合爪１９は、第１溝３３を通過する。
【００４２】
その結果、図１５および図１７に示すように、ロックピン３１の先端がロック穴形成プレート１０の平面部１４に当接する。
【００４３】
図１５〜図１７に示す状態から、引き続いて、背もたれ部３を起こしていくと、図１８および図１９に示すように、ロックピン３１が第２ロック穴１２の上に位置するようになる。ロックピン３１と第２ロック穴１２とが重なる位置関係になれば、ロックピン３１はばね３７（図２および図３参照）の付勢力により自動的に第２ロック穴１２に係合し、背もたれ部３を中間後傾角度位置で固定保持する。
【００４４】
図１８から明らかなように、ロックピン３１と第２ロック穴１２とが係合状態にあるとき、係合爪１９は、ロックピン支持プレート３０の第１溝３３と第２溝３４との間にある中間壁部３５の上方に位置している。従って、背もたれ部３を中間後傾角度から最大後傾角度または最小後傾角度へ移動させるために、操作つまみ３６を引き上げてロックピン支持プレート３０を引き上げると、ロックピン支持プレート３０の中間壁部３５が係合爪１９を乗り越えてこの係合爪１９によってその位置が固定保持される。したがって、操作つまみ３６から手を離しても、ロックピン３１が再ロックすることはない。
【００４５】
以上のように、図示した実施形態によれば、引出し手段を操作してロックピン３１を後退位置にまで動かした状態で、ロックピン３１の後退位置が後退位置保持手段によって保持されるので、引出し手段から手を離してもロックピン３１が再ロックするようなことはない。図示した実施形態において、引出し手段は、ロックピン支持プレート３０と操作つまみ３６とを含む。また、後退位置保持手段は、ロック穴形成プレート１０の円筒軸１５と、円筒軸１５に形成された穴１６と、板ばね１８と、係合爪１９と、ロックピン支持プレート３０の円形穴３２を規定する壁とを含む。
【００４６】
さらに図示した実施形態によれば、背もたれ部３の傾斜動作の途中でロックピン３１の後退位置での保持が解かれ、その後引き続いて背もたれ部３の傾斜動作を行なうと、ロックピン３１が次段階のロック穴に自動的に係合するので、操作が非常に簡単である。図示した実施形態において、後退位置保持手段によるロックピンの保持を解放する解放手段は、ロックピン支持プレート３０の第１溝３３および第２溝３４を含む。
【００４７】
なお、図示していないが、座部と背もたれ部との間に、背もたれ部の傾斜動作に対してある程度の摩擦抵抗力を与えるような構造を設けるのが望ましい。このような摩擦抵抗力があれば、例えば背もたれ部を最小後傾角度状態でロックを解除し操作つまみから手を離したとしても、背もたれ部がそれ自体の重みで傾斜動作を開始するようなことはない。
【００４８】
以上、図面を参照してこの発明の一実施形態を説明したが、この発明は、図示した形態に限定されるものではない。この発明と同一の範囲内において、あるいは均等の範囲内において、図示した実施形態に対して種々の修正や変形を加えることが可能である。
【図面の簡単な説明】
【図１】この発明の一実施形態であるチャイルドシートを示す側面図である。
【図２】ロック状態にあるリクライニング機構を示す側面図である。
【図３】非ロック状態にあるリクライニング機構を示す側面図である。
【図４】ロック穴形成プレートを示す図である。
【図５】ロック穴形成プレートの円筒軸に関連した構造を示す縦断面図である。
【図６】固定プレートを示す図である。
【図７】ロックピン支持プレートを示す図である。
【図８】リクライニング機構の正面図である。
【図９】図８の線ＩＸ−ＩＸに沿って見た縦断面図である。
【図１０】図８のリクライニング機構の右側面図である。
【図１１】ロックピン支持プレートが係合爪をまさに乗り越えようとしている状態を示す図である。
【図１２】ロックピン支持プレートが係合爪によって後退位置で保持されている状態を示す図である。
【図１３】ロックピン支持プレートが係合爪によって後退位置で保持されている状態を示す正面図である。
【図１４】ロックピン支持プレートが係合爪によって後退位置で保持されている状態を示す右側面図である。
【図１５】ロックピン支持プレートの第１溝が係合爪の真上に位置している状態を示す正面図である。
【図１６】ロックピン支持プレートの第１溝が係合爪の真上に位置している状態を示す縦断面図である。
【図１７】ロックピンの先端部がロック穴形成プレートの平面部に当接している状態を示す図である。
【図１８】ロックピンが第２ロック穴に係合している状態を示す正面図である。
【図１９】ロックピンが第２ロック穴に係合している状態を示す右側面図である。
【符号の説明】
１  チャイルドシート、２  座部、３  背もたれ部、４  リクライニング調節機構、１０  ロック穴形成プレート、１１  第１ロック穴、１２  第２ロック穴、１３  第３ロック穴、１４  平面部、１５  円筒軸、１６  穴、１７  フランジ部材、１８  板ばね、１９  係合爪、２０  固定プレート、２１  円筒軸、２２  ガイド穴、３０  ロックピン支持プレート、３１  ロックピン、３１ａ  頭部、３２  円形穴、３３  第１溝、３４  第２溝、３５中間壁部、３６  操作つまみ、３７  ばね。
【図１】
2004359126.tif 000003
【図２】
2004359126.tif 000004
【図３】
2004359126.tif 000005
【図４】
2004359126.tif 000006
【図５】
2004359126.tif 000007
【図６】
2004359126.tif 000008
【図７】
2004359126.tif 000009
【図８】
2004359126.tif 000010
【図９】
2004359126.tif 000011
【図１０】
2004359126.tif 000012
【図１１】
2004359126.tif 000013
【図１２】
2004359126.tif 000014
【図１３】
2004359126.tif 000015
【図１４】
2004359126.tif 000016
【図１５】
2004359126.tif 000017
【図１６】
2004359126.tif 000018
【図１７】
2004359126.tif 000019
【図１８】
2004359126.tif 000020
【図１９】
2004359126.tif 000021